(57)【要約】【課題】  バス会社にとって過大なコストをかける必要が無く、携帯電話にＧＰＳ端末を搭載する必要が無く、携帯電話の使用方法に詳しくない利用者であっても簡単にバス運行状況を知ることを可能とする。【解決手段】  各バスの各時刻における位置を検出するバス位置検出手段と、バス位置検出手段により検出された各バスの各時刻における位置及び各バスの識別情報を基に各路線・各バス停毎のバス運行状況を算出するバス運行状況算出手段と、各バス停のバス停識別情報及び各バス停を通過する各路線の路線識別情報を表す読み取り可能な記録媒体と、読み取り可能な記録媒体から読み取られたバス停識別情報及び路線識別情報を受信したならば、受信したバス停識別情報及び路線識別情報により表されるバス停及び路線に対応したバス運行状況をバス停識別情報及び路線識別情報の送信元に送信する送信手段と、を備える。【選択図】        図２
2005084729.tif 000002
【特許請求の範囲】
【請求項１】
各バスの各時刻における位置を検出するバス位置検出手段と、
前記バス位置検出手段により検出された各バスの各時刻における位置及び各バスの識別情報を基に各路線・各バス停毎のバス運行状況を算出するバス運行状況算出手段と、
各路線・各バス停毎のバス運行状況を表すホームページであって、各路線・各バス停毎のＵＲＬが付されたものを生成するホームページ生成手段と、
各バス停・各路線に対応したホームページのＵＲＬを表す読み取り可能な記録媒体と、
前記読み取り可能な記録媒体から読み取られた当該バス停・当該路線に対応したホームページのＵＲＬを受信したならば、当該路線・当該バス停に関するバス運行状況を表すホームページを前記ＵＲＬの送信元に送信する送信手段と、
を備えることを特徴とするバス運行状況通知システム。
【請求項２】
各バスの各時刻における位置を検出するバス位置検出手段と、
前記バス位置検出手段により検出された各バスの各時刻における位置及び各バスの識別情報を基に各路線・各バス停毎のバス運行状況を算出するバス運行状況算出手段と、
各バス停のバス停識別情報及び各バス停を通過する各路線の路線識別情報を表す読み取り可能な記録媒体と、
前記読み取り可能な記録媒体から読み取られた前記バス停識別情報及び前記路線識別情報を受信したならば、受信した前記バス停識別情報及び前記路線識別情報により表されるバス停及び路線に対応した前記バス運行状況を前記バス停識別情報及び前記路線識別情報の送信元に送信する送信手段と、
を備えることを特徴とするバス運行状況通知システム。
【請求項３】
各バスの各時刻における位置を検出するバス位置検出手段と、
前記バス位置検出手段により検出された各バスの各時刻における位置及び各バスの識別情報を基に各バス停毎のバス運行状況を算出するバス運行状況算出手段と、
各バス停毎のバス運行状況を表すホームページであって、各バス停毎のＵＲＬが付されたものを生成するホームページ生成手段と、
各バス停に対応したホームページのＵＲＬを表す読み取り可能な記録媒体と、
前記読み取り可能な記録媒体から読み取られた当該バス停に対応したホームページのＵＲＬを受信したならば、当該バス停に関するバス運行状況を表すホームページを前記ＵＲＬの送信元に送信する送信手段と、
を備えることを特徴とするバス運行状況通知システム。
【請求項４】
各バスの各時刻における位置を検出するバス位置検出手段と、
前記バス位置検出手段により検出された各バスの各時刻における位置及び各バスの識別情報を基に各バス停毎のバス運行状況を算出するバス運行状況算出手段と、
各バス停のバス停識別情報を表す読み取り可能な記録媒体と、
前記読み取り可能な記録媒体から読み取られた前記バス停識別情報を受信したならば、受信した前記バス停識別情報により表されるバス停に対応した前記バス運行状況を前記バス停識別情報の送信元に送信する送信手段と、
を備えることを特徴とするバス運行状況通知システム。
【請求項５】
各バスの各時刻における位置を検出するバス位置検出手段と、
前記バス位置検出手段により検出された各バスの各時刻における位置及び各バスの識別情報を基に各路線毎のバス運行状況を算出するバス運行状況算出手段と、
各路線毎のバス運行状況を表すホームページであって、各路線毎のＵＲＬが付されたものを生成するホームページ生成手段と、
各路線に対応したホームページのＵＲＬを表す読み取り可能な記録媒体と、
前記読み取り可能な記録媒体から読み取られた当該路線に対応したホームページのＵＲＬを受信したならば、当該路線に関するバス運行状況を表すホームページを前記ＵＲＬの送信元に送信する送信手段と、
を備えることを特徴とするバス運行状況通知システム。
【請求項６】
各バスの各時刻における位置を検出するバス位置検出手段と、
前記バス位置検出手段により検出された各バスの各時刻における位置及び各バスの識別情報を基に各路線毎のバス運行状況を算出するバス運行状況算出手段と、
各バス停を通過する各路線の路線識別情報を表す読み取り可能な記録媒体と、
前記読み取り可能な記録媒体から読み取られた前記路線識別情報を受信したならば、受信した前記路線識別情報により表される路線に対応した前記バス運行状況を前記路線識別情報の送信元に送信する送信手段と、
を備えることを特徴とするバス運行状況通知システム。
【請求項７】
各バスの各時刻における位置を検出するバス位置検出ステップと、
前記バス位置検出手段により検出された各バスの各時刻における位置及び各バスの識別情報を基に各路線・各バス停毎のバス運行状況を算出するバス運行状況算出ステップと、
各路線・各バス停毎のバス運行状況を表すホームページであって、各路線・各バス停毎のＵＲＬが付されたものを生成するホームページ生成ステップと、
各バス停・各路線に対応したホームページのＵＲＬを表す読み取り可能な記録媒体から読み取られた当該バス停・当該路線に対応したホームページのＵＲＬを受信したならば、当該路線・当該バス停に関するバス運行状況を表すホームページを前記ＵＲＬの送信元に送信する送信ステップと、
を有することを特徴とするバス運行状況通知方法。
【請求項８】
各バスの各時刻における位置を検出するバス位置検出ステップと、
前記バス位置検出手段により検出された各バスの各時刻における位置及び各バスの識別情報を基に各路線・各バス停毎のバス運行状況を算出するバス運行状況算出ステップと、
各バス停のバス停識別情報及び各バス停を通過する各路線の路線識別情報を表す読み取り可能な記録媒体から読み取られた前記バス停識別情報及び前記路線識別情報を受信したならば、受信した前記バス停識別情報及び前記路線識別情報により表されるバス停及び路線に対応した前記バス運行状況を前記バス停識別情報及び前記路線識別情報の送信元に送信する送信ステップと、
を有することを特徴とするバス運行状況通知方法。
【請求項９】
各バスの各時刻における位置を検出するバス位置検出ステップと、
前記バス位置検出ステップにより検出された各バスの各時刻における位置及び各バスの識別情報を基に各バス停毎のバス運行状況を算出するバス運行状況算出ステップと、
各バス停毎のバス運行状況を表すホームページであって、各バス停毎のＵＲＬが付されたものを生成するホームページ生成ステップと、
各バス停に対応したホームページのＵＲＬを表す読み取り可能な記録媒体と、
前記読み取り可能な記録媒体から読み取られた当該バス停に対応したホームページのＵＲＬを受信したならば、当該バス停に関するバス運行状況を表すホームページを前記ＵＲＬの送信元に送信する送信ステップと、
を有することを特徴とするバス運行状況通知方法。
【請求項１０】
各バスの各時刻における位置を検出するバス位置検出ステップと、
前記バス位置検出ステップにより検出された各バスの各時刻における位置及び各バスの識別情報を基に各バス停毎のバス運行状況を算出するバス運行状況算出ステップと、
各バス停のバス停識別情報を表す読み取り可能な記録媒体と、
前記読み取り可能な記録媒体から読み取られた前記バス停識別情報を受信したならば、受信した前記バス停識別情報により表されるバス停に対応した前記バス運行状況を前記バス停識別情報の送信元に送信する送信ステップと、
を有することを特徴とするバス運行状況通知方法。
【請求項１１】
各バスの各時刻における位置を検出するバス位置検出ステップと、
前記バス位置検出ステップにより検出された各バスの各時刻における位置及び各バスの識別情報を基に各路線毎のバス運行状況を算出するバス運行状況算出ステップと、
各路線毎のバス運行状況を表すホームページであって、各路線毎のＵＲＬが付されたものを生成するホームページ生成ステップと、
各路線に対応したホームページのＵＲＬを表す読み取り可能な記録媒体と、
前記読み取り可能な記録媒体から読み取られた当該路線に対応したホームページのＵＲＬを受信したならば、当該路線に関するバス運行状況を表すホームページを前記ＵＲＬの送信元に送信する送信ステップと、
を有することを特徴とするバス運行状況通知方法。
【請求項１２】
各バスの各時刻における位置を検出するバス位置検出ステップと、
前記バス位置検出ステップにより検出された各バスの各時刻における位置及び各バスの識別情報を基に各路線毎のバス運行状況を算出するバス運行状況算出ステップと、
各バス停を通過する各路線の路線識別情報を表す読み取り可能な記録媒体と、
前記読み取り可能な記録媒体から読み取られた前記路線識別情報を受信したならば、受信した前記路線識別情報により表される路線に対応した前記バス運行状況を前記路線識別情報の送信元に送信する送信ステップと、
を有することを特徴とするバス運行状況通知方法。
【発明の詳細な説明】
【技術分野】
【０００１】
本発明は、バスの運行状況をバス利用者に通知するためのバス運行状況通知システム及びその方法に関する。
【背景技術】
【０００２】
電車は専用の線路を走行するのでほぼ時刻表通り運行されるのに対し、バスは通常一般道を通るため交通渋滞等の影響により時刻表通り運行されないことが多い。
【０００３】
バス利用者は、バス時刻表を一応の目安としてバスが到着するのを待つが、バスの遅れ等によりしばしば長時間待たされることとなる。
【０００４】
そこで、実際のバスの運行状況を把握し、それに基づいてバスの到着時間を知ることができれば便利である。このようなバス運行状況通知システムが例えば以下の文献に記載されている。
【特許文献１】特開２００１−２２２７９５号公報
【特許文献２】特開２００１−３３７９６７号公報
【特許文献３】特開２００２−２３６９９６号公報
【発明の開示】
【発明が解決しようとする課題】
【０００５】
しかしながら、上記文献には以下のような問題点がある。
【０００６】
特許文献１の発明では、バス停に停留所案内塔を設置し、これにバス運行状況を表示するための装置を設けなければならない。従って、このような停留所案内塔を全てのバス停に設置するためのイニシャルコストは相当なものとなり、また、停留所案内塔は常時屋外に存在するため破損、故障等の危険にさらされ、保守管理や修理等のランニングコストも相当なものとなる。更に、故障している最中にはサービスを提供することができない。
【０００７】
また、特許文献１の発明では、携帯電話もバス運行状況を表示できるが、目的のバス停に関するバス運行状況を表示するためには、利用者は、所定の番号を入力し、その後表示されるメニューを辿らなければならない。この様な操作は利用者にとって煩わしいばかりでなく、携帯電話の使用方法に詳しくない利用者にとっては不可能である場合もある。また、バスの運行状況を知りたくなるのは、急いでいる場合が多く、このような場合には、限られた時間で上記の操作をすることは、利用者にとって、無理であることもあり、或いは、あきらめるべきこととなってしまうこともある。
【０００８】
特許文献２の発明では、携帯電話の画面に現在居る場所の最寄りの駅に到着する交通手段の運行状況を表示することができるが、そのためには携帯電話はＧＰＳ(Global Positioning System)端末を備えていなければならない。従って、携帯電話の価格が上昇してしまう。また、ＧＰＳ端末を備えた携帯電話でなければサービスを受けることができない。
【０００９】
特許文献３の発明では、バス運行状況を記載した電子メールを携帯電話に送るようにしているが、携帯電話がそのような電子メールを受信するためには、利用者は自分の携帯電話の電子メールアドレスをセンターに登録しなければならない。また、プッシュ機能によりバス運行状況を記載したホームページを携帯電話に送るようにしているが、携帯電話がそのようなホームページを受信するためには、利用者はそのようなホームページのＵＲＬを携帯電話に入力しなければならない。このような電子メールアドレスの入力やＵＲＬの入力は利用者にとって煩わしいばかりでなく、携帯電話の使用方法に詳しくない利用者にとっては不可能である場合もある。
【００１０】
本発明は上記の問題点に鑑みてなされたものであり、バス会社にとって過大なコストをかける必要が無く、携帯電話にＧＰＳ端末を搭載する必要が無く、携帯電話の使用方法に詳しくない利用者であっても簡単にバス運行状況を知ることを可能とするバス運行状況通知システム及びその方法を提供することを目的とする。
【課題を解決するための手段】
【００１１】
本発明の第１の観点によれば、各バスの各時刻における位置を検出するバス位置検出手段と、前記バス位置検出手段により検出された各バスの各時刻における位置及び各バスの識別情報を基に各路線・各バス停毎のバス運行状況を算出するバス運行状況算出手段と、各路線・各バス停毎のバス運行状況を表すホームページであって、各路線・各バス停毎のＵＲＬが付されたものを生成するホームページ生成手段と、各バス停・各路線に対応したホームページのＵＲＬを表す読み取り可能な記録媒体と、前記読み取り可能な記録媒体から読み取られた当該バス停・当該路線に対応したホームページのＵＲＬを受信したならば、当該路線・当該バス停に関するバス運行状況を表すホームページを前記ＵＲＬの送信元に送信する送信手段と、を備えることを特徴とするバス運行状況通知システムが提供される。
【００１２】
本発明の第２の観点によれば、各バスの各時刻における位置を検出するバス位置検出手段と、前記バス位置検出手段により検出された各バスの各時刻における位置及び各バスの識別情報を基に各路線・各バス停毎のバス運行状況を算出するバス運行状況算出手段と、各バス停のバス停識別情報及び各バス停を通過する各路線の路線識別情報を表す読み取り可能な記録媒体と、前記読み取り可能な記録媒体から読み取られた前記バス停識別情報及び前記路線識別情報を受信したならば、受信した前記バス停識別情報及び前記路線識別情報により表されるバス停及び路線に対応した前記バス運行状況を前記バス停識別情報及び前記路線識別情報の送信元に送信する送信手段と、を備えることを特徴とするバス運行状況通知システムが提供される。
【００１３】
本発明の第３の観点によれば、各バスの各時刻における位置を検出するバス位置検出手段と、前記バス位置検出手段により検出された各バスの各時刻における位置及び各バスの識別情報を基に各バス停毎のバス運行状況を算出するバス運行状況算出手段と、各バス停毎のバス運行状況を表すホームページであって、各バス停毎のＵＲＬが付されたものを生成するホームページ生成手段と、各バス停に対応したホームページのＵＲＬを表す読み取り可能な記録媒体と、前記読み取り可能な記録媒体から読み取られた当該バス停に対応したホームページのＵＲＬを受信したならば、当該バス停に関するバス運行状況を表すホームページを前記ＵＲＬの送信元に送信する送信手段と、を備えることを特徴とするバス運行状況通知システムが提供される。
【００１４】
本発明の第４の観点によれば、各バスの各時刻における位置を検出するバス位置検出手段と、前記バス位置検出手段により検出された各バスの各時刻における位置及び各バスの識別情報を基に各バス停毎のバス運行状況を算出するバス運行状況算出手段と、各バス停のバス停識別情報を表す読み取り可能な記録媒体と、前記読み取り可能な記録媒体から読み取られた前記バス停識別情報を受信したならば、受信した前記バス停識別情報により表されるバス停に対応した前記バス運行状況を前記バス停識別情報の送信元に送信する送信手段と、を備えることを特徴とするバス運行状況通知システムが提供される。
【００１５】
本発明の第５の観点によれば、各バスの各時刻における位置を検出するバス位置検出手段と、前記バス位置検出手段により検出された各バスの各時刻における位置及び各バスの識別情報を基に各路線毎のバス運行状況を算出するバス運行状況算出手段と、各路線毎のバス運行状況を表すホームページであって、各路線毎のＵＲＬが付されたものを生成するホームページ生成手段と、各路線に対応したホームページのＵＲＬを表す読み取り可能な記録媒体と、前記読み取り可能な記録媒体から読み取られた当該路線に対応したホームページのＵＲＬを受信したならば、当該路線に関するバス運行状況を表すホームページを前記ＵＲＬの送信元に送信する送信手段と、を備えることを特徴とするバス運行状況通知システムが提供される。
【００１６】
本発明の第６の観点によれば、各バスの各時刻における位置を検出するバス位置検出手段と、前記バス位置検出手段により検出された各バスの各時刻における位置及び各バスの識別情報を基に各路線毎のバス運行状況を算出するバス運行状況算出手段と、各バス停を通過する各路線の路線識別情報を表す読み取り可能な記録媒体と、前記読み取り可能な記録媒体から読み取られた前記路線識別情報を受信したならば、受信した前記路線識別情報により表される路線に対応した前記バス運行状況を前記路線識別情報の送信元に送信する送信手段と、を備えることを特徴とするバス運行状況通知システムが提供される。
【発明の効果】
【００１７】
本発明によれば、バス会社は、バス内装置、サーバ及び記録媒体のみを用意すれば良く、停留所案内塔を用意する必要がないので、低コストでバス運行状況を利用者に提供することができる。
【００１８】
また、本発明によれば、携帯電話がカメラ等を備えていれば良く、ＧＰＳ端末を備える必要がないので、利用者はコストをかけずにバス運行状況の提供を受けることができる。
【００１９】
更に、本発明によれば、利用者はアプリケーションを起動し、記録媒体からの情報の読み取りを行うのみでよいので、利用者はバス運行状況の提供を受けるために煩わしい操作をする必要がない。
【発明を実施するための最良の形態】
【００２０】
以下、図面を参照して本発明の実施形態について詳細に説明する。
【００２１】
本実施形態では、図１に示すようなバス運行形態にバス運行状況通知システムを適用する。
【００２２】
図１を参照すると、△△駅１０４−１と○○駅１０４−３との間には路線１０３−１が設けられ、□□駅１０４−２と○○駅１０４−３との間には路線１０３−２が設けられている。路線１０３−１には、バス停１０１−１〜１０１−１２が設けられ、路線１０３−２にはバス停１０１−７〜１０１−１５が設けられている。路線１０３−１と路線１０３−２はバス停１０１−７〜１０１−１２を共有する。従って、バス停１０１−７〜１０１−１２には、２つの路線１０３−１、１０３−２のバスの時刻表が掲示されている。路線１０３−１では、バス１０２−１、１０２−２が運行され、路線１０３−２では、バス１０２−３、１０２−４が運行されている。但し、バス停の数、運行するバスの数は例としてあげたのであり、これ以外であってもよい。
【００２３】
次に、本発明の実施形態によるバス運行状況通知システム等の構成について図２を参照して説明する。
【００２４】
図２を参照すると、本システムはバス内装置２０１、サーバ２０３、携帯電話２０２及び記録媒体２０４を備える。
【００２５】
バス内装置２０１は、バス会社の各バスに備え付けられる。バス内装置２０１は、ＧＰＳ受信機２０１−１、バス識別情報保持部２０１−２及び通信部２０１−３を備える。ＧＰＳ受信機２０１−１は、ＧＰＳ衛星からの電波を受信し、バスの現在位置と現在時刻を取得する。バス識別情報保持部２０１−２は、ＲＯＭ等の記録媒体であり、バスの識別情報を保持する。バスの識別情報は、例えば、（１）バス会社が各バスに付した番号、（２）自動車の種別による分類番号及び登録番号（ナンバープレートに記載のもの）、（３）車両番号等である。また、バスの識別情報は、路線識別情報を含んでいてもよい。バスの識別情報に路線識別情報が含まれている場合には、サーバ２０３（後述）は、バスの識別情報からそのバスが運行している路線を即座に特定することができる。バスの識別情報に路線識別情報が含まれていない場合には、サーバ２０３がバスの識別情報と路線の識別情報の対応関係を保持する。通信部２０１−３は、サーバ２０３の第１の通信部２０３−４と例えばインターネットや電話回線を介して通信する。具体的には、通信部２０１−３は、自発的に又はサーバからの要求に応えてＧＰＳ受信機が取得したバスの現在位置及び現在時刻並びにバス識別情報をサーバ２０３に送信する。
【００２６】
サーバ２０３は、バス運行状況算出部２０３−１、ホームページ生成部２０３−２、記憶装置２０３−３、第１の通信部２０３−４及び第２の通信部２０３−５を備える。
【００２７】
バス運行状況算出部２０３−１は、バス内装置２０１から受信した各バスの現在位置及び現在時刻並びにバス識別情報を基にバス運行状況を算出する。バス運行状況は、例えば、各路線における各バスの位置、各路線の各区間におけるバスの速度、各バス停に次のバス、２台目のバス、３台目のバス等が到着する予定時刻等である。区間の長さは例えば１００メートル等とする。各路線の各区間におけるバスの速度は、各バスから受信したばかりの速度の他に、蓄積したバス速度から算出した時間帯、曜日等の変動要因毎の平均速度も含む。バスが到着する予定時刻を算出する際には、このような各路線の各区間の変動要因毎の平均速度を用いる。つまり、各区間毎の所要時間を各路線の各区間の変動要因毎の平均速度から求め、バスの現在位置から当該バス停までの全ての区間についてその所要時間を加算し、それを現在時刻に加算することによりバスが到着する予定時刻を算出する。ホームページ生成部２０３−２は、バス運行状況算出部２０３−１が算出した各路線、各バス停毎のバス到着予定時刻を表すホームページを各路線、各バス停毎に作成し、記憶装置２０３−３の所定のディレクトリに所定のファイル名で格納し、インターネットを通じてアクセスできるようにする。このようなホームページの例を図３に示す。記憶装置２０３−３は、ハードディスク等より構成され、バス運行状況、ホームページ等を格納する。第１の通信部２０３−４は、各バス内装置２０１の通信部２０１−３から各バスの現在位置及び現在時刻並びにバス識別情報を受信する。第２の通信部２０３−５は、携帯電話２０２の通信部２０２−４とインターネット等を介して通信をし、携帯電話２０２から要求された路線・バス停のホームページを携帯電話２０２に送信する。
【００２８】
なお、バス運行状況算出部２０３−１、ホームページ生成部２０３−２は、ハードウェアによっても実現することもできるし、コンピュータがプログラムを実行することによっても実現することもできるし、ハードウェア及びプログラムを実行するコンピュータによっても実現することができる。
【００２９】
携帯電話２０２は、入力部２０２−１、表示部２０２−２、読取部２０２−３、通信部２０２−４及び処理部２０２−５を備える。また、携帯電話２０２は、図４（ａ）又は図４（ｂ）に示すような外観を有する。入力部２０２−１は、図４（ｂ）に示すようにキーボード等であり、利用者からの文字、数字、記号等の入力を受け付ける。表示部２０２−２は、図４（ｂ）に示すように、ＬＣＤ等であり、文字、数字、記号等を表示する。特に表示部２０２−２は、図３に示すようなホームページを表示する。読取部２０２−３は、例えば、図４（ａ）に示すように、カメラであり、又は、図４（ｂ）に示すようにバーコードリーダである。通信部２０２−４は、サーバ２０３の第２の通信部２０３−５とインターネット等を介して通信する。処理部２０２−５は、プログラムを実行するＣＰＵ、ＤＳＰ等であり、ホームページのインタープリテーション、バーコードの画像の解読等の様々な処理を行う。
【００３０】
記録媒体２０４は、例えば、バーコードが印刷されたシートである。バーコードには、従来からのバーコードの他に、２次元バーコードやマイクロバーコードも含まれる。読取部２０２−３がカメラである場合には、読取部２０２−３がバーコードの像を読み取り、処理部２０２−５がバーコードの画像からバーコードにより表される文字、数字、記号等を抽出する。読取部２０２−３がバーコードリーダである場合は、読取部２０２−３がバーコードを読み取り、文字、数字、記号等を抽出する。
【００３１】
また、記録媒体２０４はバーコードが表す文字、数字、記号等をＡＳＣＩＩ形式やＪＩＳ形式等で格納するＲＯＭであってもよい。この場合には、記録媒体２０４には、更に記録媒体の読出装置（図示せず）及び赤外線発光装置（図示せず）が付加され、赤外線発光装置がバーコードが表す文字、数字、記号等をＡＳＣＩＩ形式やＪＩＳ形式で赤外線の形態で出力する。そして、この場合には、読取部２０２−３は赤外線受光器であり、これが赤外線発光装置が出力するバーコードを読み取る。
【００３２】
カメラ及びバーコードリーダを有しないが赤外線受光器を有する携帯電話や、これとは逆に、赤外線受光器を有しないがカメラ又はバーコードリーダを有する携帯電話にも対応するために、記録媒体２０４として、バーコード及びＲＯＭの両方を用意しておいてもよい。
【００３３】
更には、記録媒体として無線ＩＣタグを用いて、携帯電話に無線ＩＣタグからの電波を受信する検出器を読取部２０２−３として備えさせてもよい。
【００３４】
記録媒体２０４は、図５に示すように、バス停１０１の各路線毎の時刻表の傍らに配置し、同じバス停１０１であっても、路線を区別できるようにする。利用者は、記録媒体２０４を携帯電話２０２の読取部２０２−３で読み取る。具体的には、記録媒体２０４が印刷されたバーコードであって読取部２０２−３がカメラである場合には、バーコードをカメラで撮影する。また、記録媒体２０４が印刷されたバーコードであって読取部２０２−３がバーコードリーダである場合には、バーコードをバーコードリーダでスキャン（自走スキャンを含む）する。更に、記録媒体がＲＯＭであり読取部２０２−３が赤外線受光部である場合には、赤外線発光装置に赤外線受光部を向ける。更に、記録媒体が無線ＩＣタグであり読取部２０２−３が上記検出器である場合には、携帯電話２０２を無線ＩＣタグの近くにかざす。
【００３５】
次に、本実施形態によるバス運行状況通知システムの動作について図６〜８を参照して説明する。
【００３６】
まず、サーバ２０３がホームページを作成する処理について図６を参照して説明する。
【００３７】
図６を参照すると、まず、運行中の全てのバスについてステップＳ３０２〜Ｓ３０６を繰り返す（ステップＳ３０１）。
【００３８】
ステップＳ３０２では、バス内装置２０１からバスの現在位置、現在時刻及びバス識別情報を受信する。自主的にバス内装置２０１にこれらの送信を要求してもよいし、バス内装置２０１が自主的に送信したこれらをバッファリングしておいて読み出すようにしてもよい。
【００３９】
ステップＳ３０３では、ステップＳ３０２で受信したバスの現在位置及びバス識別情報を基にバスを路線上に配置する。バスの路線上の配置とは、バスが路線上の始点からどれだけの距離離れた場所に存在し、その場所はどのバス停とどのバス停の間であり、その場所はどの区間に属するかを確定することである。
【００４０】
ステップＳ３０４では、ステップＳ３０３で確定したバスの路線上の位置等及び現在時刻を記憶装置２０３−３に格納する。
【００４１】
ステップＳ３０５では、今回、前回及び必要に応じた遡及回のステップＳ３０４で格納した内容を基に、バスが現在存在する位置が属する区間におけるバスの速度を求める。
【００４２】
ステップＳ３０６では、ステップＳ３０５で求めた速度を記憶装置２０３−３に格納する。ステップＳ３０６で格納された速度を蓄積することにより、時間帯、曜日等の変動要因毎の各路線の各区間における平均速度を求めることができ、この平均速度を用いて到着予想時間を計算できるようになる。
【００４３】
ステップＳ３０１の繰返しが終了したならば、各路線１０３及び各バス停１０１についてステップＳ３０９〜Ｓ３１１を繰り返す（ステップＳ３０７、Ｓ３０８）。
【００４４】
ステップＳ３０９ではバス運行状況を算出する。具体的には、現在のループで扱っている路線、バス停における次のバスからｎ台目の到着予定時間を算出する。ｎの値は、路線で運行しているバスの台数や路線の長さ等により異なるが適切に定める。次のバスの到着予定時刻は、例えば次のようにして求める。すなわち、当該路線を現在運行している各バスの路線上位置から次のバスを特定する。次のバスの路線上の現在位置から当該バス停までの道程に含まれる全ての区間を抽出する。各区間を通過するのに要する所要時間を時間帯、曜日等の変動要因を加味した平均速度と区間の長さより求める。次のバスから最後に受信した現在時刻に全ての区間の所要時間を加算して到着予定時間とする。２台目のバス、３台目のバス等についても同様にして到着予定時間を求める。
【００４５】
ステップＳ３１０では、ステップＳ３０９で求めたバス運行状況を記載したホームページを作成する。作成するホームページは、例えば、図３に示すようなものである。
【００４６】
ステップＳ３１１では、ステップＳ３１０で作成したホームページを路線、バス停に応じたディレクトリとファイル名の組合せにより格納する。図３の例では、路線をディレクトリにより区別し、バス停をファイル名により区別しているが、路線及びバス停をファイル名により区別してもよいし、路線及びバス停をディレクトリにより区別してもよい。
【００４７】
次に、携帯電話２０２の表示部２０２−２にバス運行状況を表示するときの動作について説明する。
【００４８】
まず、記録媒体２０４にホームページのＵＲＬを直接書き込む場合について図７を参照して説明する。
【００４９】
まず、バス運行状況通知システムに対応したアプリケーションを携帯電話２０２上で起動する。携帯電話２０２は、アプリケーション起動後、まず、利用者の操作によりバス停及び路線に対応したホームページのＵＲＬを記録媒体２０４から読み込む（ステップＳ３４１）。携帯電話２０２は、読み取りが終了したならば、ステップＳ３４１で読み込んだＵＲＬをサーバ２０３に送信する（ステップ３４２）。サーバ２０３は、ＵＲＬを携帯電話２０２から受信したならば、そのＵＲＬを有するホームページを記憶装置２０３−３から読み込む（ステップＳ３４３）。次に、サーバ２０３は、ステップＳ３４３で読み込んだホームページを携帯電話２０２に送信する（ステップＳ３４４）。携帯電話２０２は、サーバ２０３からホームページを受信したならば、そのホームページを表示部２０２−２に表示する（ステップＳ３４５）。
【００５０】
次に、記録媒体２０４にホームページのＵＲＬを直接書き込まずに、路線特定情報とバス停特定情報を書き込む場合について図８を参照して説明する。
【００５１】
まず、バス運行状況通知システムに対応したアプリケーションを携帯電話２０２上で起動する。携帯電話２０２は、アプリケーション起動後、まず、利用者の操作によりバス停識別情報及び路線識別情報を記録媒体２０４から読み込む（ステップＳ３２１）。携帯電話２０２は、読み取りが終了したならば、ステップＳ３２１で読み込んだバス停識別情報及び路線識別情報をサーバ２０３に送信する（ステップ３２２）。ここで、アプリケーションは予めサーバのＵＲＬを知っているものとする。サーバ２０３は、バス停識別情報及び路線識別情報を携帯電話２０２から受信したならば、バス停識別情報及び路線識別情報に対応したホームページを記憶装置２０３−３から読み込む（ステップＳ３２３）。次に、サーバ２０３は、ステップＳ３２３で読み込んだホームページを携帯電話２０２に送信する（ステップＳ３２４）。携帯電話２０２は、サーバ２０３からホームページを受信したならば、そのホームページを表示部２０２−２に表示する（ステップＳ３２５）。
【００５２】
なお、各路線・各バス停毎にホームページを設けるのではなく、各路線・複数のバス停毎にホームページを設け、ページ内の各位置に各バス停を対応付けるようにしてもよい。こうすることにより、路線毎のＵＲＬを有する図９に示すような画面をスクロールすることにより、他の停留所におけるバス運行状況（例えば、どのバス停にいつ頃バスが到着するか）も知ることができる。同様に、複数の路線・各バス停毎にホームページを設け、ページ内の各位置に各路線を対応付けてもよい。こうすることにより、バス停毎のＵＲＬを有する図１０に示すような画面をスクロールすることにより、他の路線のバス運行状況（例えば、他の路線のバスの方が早く到着するか）も知ることができる。これらの場合、本発明では、ホームページ内の位置を表す情報もＵＲＬの一部であるとみなす。
【００５３】
また、図３に示すような画面を図１１に示すような画面に変更し、符号４０１で示す文字列「路線内全バス停表示」が選択されたならば、図９に示すような画面を表示し、符号４０２で示す文字列「当バス停全路線表示」が選択されたならば、図１０に示すような画面を表示するようにしても良い。
【００５４】
また、上記の説明では、バス停の各路線毎の時刻表の傍らに記録媒体２０４を配置することとしたが、バーコードを印刷するプリンタをバスターミナルや定期券売り場等に設置しておき、利用者がバス停と路線を指定すると、そのプリンタがそのバス停と路線に対応したバーコードを印刷するようにしておけば、バス利用者は、バス停に赴かなくても、如何なる場所にいても（例えば、自宅や電車内にいるときであっても）、持っているそのバーコードを携帯電話で読み取ることにより、バス運行状況を知ることができる。
【００５５】
また、携帯電話が読み取られたバーコード又はそのバーコードから判別できたバス停の識別情報及び路線の識別情報を記憶するようにすれば、利用者が一度バス停で携帯電話にバーコードを取り込めば、利用者は如何なる場所でもバス運行状況を知ることができる。
【００５６】
また、上記の実施形態においては、１つのバス停の複数の路線のバスが停車する場合に対応するため、バス停別、路線別に時刻表を用意することとしたが、１つのバス停に１つの路線のバスのみが停車する場合には、バス停毎に時刻表を用意すれば足り、バス停別、路線別に時刻表を用意する必要はない。
【産業上の利用可能性】
【００５７】
本発明は、利用者にバスの運行状況を通知するために用いることができる。
【図面の簡単な説明】
【００５８】
【図１】本発明の実施形態によるバス運行状況通知システムを適用するバス運行形態を示す概念図である。
【図２】本発明の実施形態によるバス運行状況通知システム等を示すブロック図である。
【図３】本発明の実施形態によるバス運行状況通知システムが作成するホームページの例を示す第１の図である。
【図４】本発明の実施形態で用いる携帯電話の外観を示す斜視図である。
【図５】本発明の実施形態による記録媒体が配置されたバス停を示す斜視図である。
【図６】本発明の実施形態によるバス運行状況通知システムの動作を示す第１の図である。
【図７】本発明の実施形態によるバス運行状況通知システムの動作を示す第２の図である。
【図８】本発明の実施形態によるバス運行状況通知システムの動作を示す第３の図である。
【図９】本発明の実施形態によるバス運行状況通知システムが作成するホームページの例を示す第２の図である。
【図１０】本発明の実施形態によるバス運行状況通知システムが作成するホームページの例を示す第３の図である。
【図１１】本発明の実施形態によるバス運行状況通知システムが作成するホームページの例を示す第４の図である。
【符号の説明】
【００５９】
１０１  バス停
１０２  バス
１０３  路線
１０４  駅
２０１  バス内装置
２０２  携帯電話
２０３  サーバ
２０４  記録媒体
【図１】
2005084729.tif 000003
【図２】
2005084729.tif 000004
【図３】
2005084729.tif 000005
【図４】
2005084729.tif 000006
【図５】
2005084729.tif 000007
【図６】
2005084729.tif 000008
【図７】
2005084729.tif 000009
【図８】
2005084729.tif 000010
【図９】
2005084729.tif 000011
【図１０】
2005084729.tif 000012
【図１１】
2005084729.tif 000013